(57)【要約】  無線通信ネットワーク（１００）内の少なくとも１つの第１のセル（１３０）についての隣接セルリストを提供するための第１のネットワークノード（１１０）が提供される。少なくとも１つの第１のセル（１３０）は、第１のネットワークノード（１１０）へ接続される少なくとも１つの第２のネットワークノード（１４０；１４１）によりサービスされる。第１のネットワークノード（１１０）は、少なくとも１つの第１のセル（１３０）内に位置するユーザ機器についての、少なくとも１つの第１のセル（１３０）以外の１つ以上のセルへの、イベントのバーストの数及び／又は無線リンク追加の試行の数に関する情報を収集するように構成される収集ユニット（３０１）を備える。第１のネットワークノード（１１０）は、少なくとも１つの第１のセル（１３０）内に位置するユーザ機器についての、少なくとも１つの第１のセル（１３０）以外の１つ以上のセルへの、イベントのバーストの数及び／又は無線リンク追加の試行の数に関連する１つ以上の追加及び／又は除外閾値に基づいて、少なくとも１つの第１のセル（１３０）についての隣接セルリストを判定するように構成される判定ユニット（３０２）をさらに備える。また、第１のネットワークノード（１１０）は、少なくとも１つの第１のセル（１３０）についての判定される隣接セルリストを、少なくとも１つの第１のセル（１３０）にサービスする第２のネットワークノード（１４０；１４１）へ提供するように構成される提供ユニット（３０３）を備える。第１のネットワークノード（１１０）における方法も提供される。【選択図】図２
2015532064.tif 000002
【特許請求の範囲】
【請求項１】
無線通信ネットワーク（１００）内の少なくとも１つの第１のセル（１３０）についての隣接セルリストを提供するための第１のネットワークノード（１１０）であって、当該少なくとも１つの第１のセル（１３０）は、前記第１のネットワークノード（１１０）へ接続される少なくとも１つの第２のネットワークノード（１４０；１４１）によりサービスされ、前記第１のネットワークノード（１１０）は、
前記少なくとも１つの第１のセル（１３０）内に位置するユーザ機器についての、前記少なくとも１つの第１のセル（１３０）以外の１つ以上のセルへの、イベントのバーストの数及び／又は無線リンク追加の試行の数に関する情報を収集する、ように構成される収集ユニット（３０１）、
を備え、
前記第１のネットワークノード（１１０）は、
前記少なくとも１つの第１のセル（１３０）内に位置するユーザ機器についての、前記少なくとも１つの第１のセル（１３０）以外の１つ以上のセルへの、イベントのバーストの前記数及び／又は無線リンク追加の試行の数に関連する１つ以上の追加及び／又は除外閾値に基づいて、前記少なくとも１つの第１のセル（１３０）についての隣接セルリストを判定する、ように構成される判定ユニット（３０２）と、
前記少なくとも１つの第１のセル（１３０）についての判定される前記隣接セルリストを、前記少なくとも１つの第１のセル（１３０）にサービスする前記第２のネットワークノード（１４０；１４１）へ提供する、ように構成される提供ユニット（３０３）と、
をさらに備えることを特徴とする、
第１のネットワークノード（１１０）。
【請求項２】
前記判定ユニット（３０２）は、前記少なくとも１つの第１のセル（１３０）内に位置するユーザ機器についての、第２のセルへの無線リンク追加の試行の前記数が第１の除外閾値を下回る場合に、前記少なくとも１つの第１のセル（１３０）についての前回の隣接セルリストから前記第２のセルを除外することにより、前記隣接セルリストを判定する、ようにさらに構成される、請求項１に記載の第１のネットワークノード（１１０）。
【請求項３】
前記判定ユニット（３０２）は、前記少なくとも１つの第１のセル（１３０）内に位置するユーザ機器についての他のセルへの無線リンク追加の試行の合計数に対して相対的な、前記少なくとも１つの第１のセル（１３０）内に位置するユーザ機器についての前記第２のセルへの無線リンク追加の試行の前記数が、第２の除外閾値を超える場合に、前記少なくとも１つの第１のセル（１３０）についての前記前回の隣接セルリストから前記第２のセルを除外する、ようにさらに構成される、請求項２に記載の第１のネットワークノード（１１０）。
【請求項４】
前記収集ユニット（３０１）は、前記少なくとも１つの第１のセル（１３０）内に位置するユーザ機器についての、前記第２のセルへの無線リンク追加の試行の成功数を収集する、ようにさらに構成され、前記判定ユニット（３０２）は、前記少なくとも１つの第１のセル（１３０）内に位置するユーザ機器についての前記第２のセルへの無線リンク追加の試行の前記成功数に対して相対的な、前記少なくとも１つの第１のセル（１３０）内に位置するユーザ機器についての前記第２のセルへの無線リンク追加の試行の前記数が、第３の除外閾値を超える場合に、前記少なくとも１つの第１のセル（１３０）についての前記前回の隣接セルリストから前記第２のセルを除外する、ようにさらに構成される、請求項３に記載の第１のネットワークノード（１１０）。
【請求項５】
前記判定ユニット（３０２）は、前記前回の隣接セルリスト上のセルの数が、隣接セルリストにとって好ましいセル数を上回る場合に、除外閾値の第１のセットを使用し、前記前回の隣接セルリスト上のセルの数が、隣接セルリストにとって好ましいセル数を下回る場合に、除外閾値の第２のセットを使用する、ようにさらに構成され、除外閾値の前記第１のセットは、除外閾値の前記第２のセットよりも非制限的である、請求項２〜４のいずれかに記載の第１のネットワークノード（１１０）。
【請求項６】
前記判定ユニット（３０２）は、前記少なくとも１つの第１のセル（１３０）についての前記前回の隣接セルリストから前記第２のセルが除外される際に、前記第２のセルについての前記隣接セルリストが前記少なくとも１つの第１のセル（１３０）を含むかどうかをチェックし、もし含む場合には、前記第２のセル内に位置するユーザ機器についての前記少なくとも１つの第１のセル（１３０）への無線リンク追加の試行の前記数が第４の除外閾値を下回る場合と、セル間の逆方向の関係が必要とされる場合と、を除いて、前記第２のセルに関連する前記少なくとも１つの第１のセル（１３０）についての前記第１、第２、及び第３の除外閾値を使用して、前記第２のセルについての前記隣接セルリストから前記少なくとも１つの第１のセル（１３０）を除外する、ようにさらに構成される、請求項２〜５のいずれかに記載の第１のネットワークノード（１１０）。
【請求項７】
前記判定ユニット（３０２）は、前記少なくとも１つの第１のセル（１３０）内に位置するユーザ機器についての、前記少なくとも１つの第１のセル（１３０）についての前回の隣接セルリスト上の他のセルへの無線リンク追加の試行の合計数に対して相対的な、前記少なくとも１つの第１のセル（１３０）内に位置するユーザ機器についての第３のセルへのイベントのバーストの前記数が、第１の追加閾値を超える場合に、前記少なくとも１つの第１のセル（１３０）についての前記前回の隣接セルリストへ前記第３のセルを追加することにより、前記隣接セルリストを判定する、ようにさらに構成される、請求項１〜６のいずれかに記載の第１のネットワークノード（１１０）。
【請求項８】
前記判定ユニット（３０２）は、前記少なくとも１つの第１のセル（１３０）内に位置するユーザ機器についての第３のセルへのイベントのバーストの前記数が、第２の追加閾値を上回る場合に、前記少なくとも１つの第１のセル（１３０）についての空の隣接セルリストへ前記第３のセルを追加する、ようにさらに構成される、請求項１〜７のいずれかに記載の第１のネットワークノード（１１０）。
【請求項９】
前記判定ユニット（３０２）は、前記前回の隣接セルリスト上のセルの数が、隣接セルリストにとって好ましいセル数を上回る場合には、追加閾値の第１のセットを使用し、前記前回の隣接セルリスト上のセルの数が、隣接セルリストにとって好ましいセル数を下回る場合には、追加閾値の第２のセットを使用する、ようにさらに構成され、追加閾値の前記第１のセットは、追加閾値の前記第２のセットよりも制限的である、請求項７〜８のいずれかに記載の第１のネットワークノード（１１０）。
【請求項１０】
前記判定ユニット（３０２）は、前記第３のセルが前記少なくとも１つの第１のセル（１３０）についての前記空の又は前回の隣接セルリストへ追加される際に、前記第３のセルについての前記隣接セルリストが前記少なくとも１つの第１のセル（１３０）を含むかどうかをチェックし、もし含まない場合には、前記第３のセルについての前記隣接セルリスト上の隣接セルの数が前記第３のセルについての前記隣接セルリストにとって好ましい隣接セル数を上回る場合と、セル間の逆方向の関係が許可されない場合と、を除いて、前記第３のセルについての前記隣接セルリストへ前記少なくとも１つの第１のセル（１３０）を追加する、ようにさらに構成される、請求項７〜９のいずれかに記載の第１のネットワークノード（１１０）。
【請求項１１】
前記判定ユニット（３０２）は、前記少なくとも１つの第１のセル（１３０）についての前記前回の隣接セルリストへ前記第３のセルが追加される際に、もし前記第３のセルの前記スクランブリングコードが、前記少なくとも１つの第１のセル（１３０）についての前記前回の隣接セルリスト内に含まれている前記セルの前記スクランブリングコードのいずれか１つと同じであれば、前記第３のセルを追加するのを控える、ようにさらに構成される、請求項７〜１０のいずれかに記載の第１のネットワークノード（１１０）。
【請求項１２】
イベントのバーストの前記数は、欠落した隣接イベント（ＩＮＴＥＲＮＡＬ＿ＳＯＨＯ＿ＤＳ＿ＭＩＳＳＩＮＧ＿ＮＥＩＧＨＢＯＲ）の数である、請求項７〜１１のいずれかに記載の第１のネットワークノード（１１０）。
【請求項１３】
前記第１のネットワークノード（１１０）は、中間ネットワークノード（１２０；１２１；１２２）を介して前記第２のネットワークノード（１４０；１４１）へ接続されるように配置される、請求項１〜１３のいずれかに記載の第１のネットワークノード（１１０）。
【請求項１４】
前記第１のネットワークノードはＯＳＳ−ＲＣ（Operations  Support  System  for  Radio  &  Core）ノード（１１０）であり、前記中間ノードは無線ネットワークコントローラ（ＲＮＣ）ノード（１２０；１２１；１２２）であり、前記第２のネットワークノードは無線基地局（ＲＢＳ）ノード（１４０；１４１）である、請求項１〜１３のいずれかに記載の第１のネットワークノード（１１０）。
【請求項１５】
無線通信ネットワーク（１００）内の少なくとも１つの第１のセル（１３０）についての隣接セルリストを提供するための、第１のネットワークノード（１１０）における方法であって、当該少なくとも１つの第１のセル（１３０）は、前記第１のネットワークノード（１１０）へ接続される少なくとも１つの第２のネットワークノード（１４０；１４１）によりサービスされ、前記方法は、
前記少なくとも１つの第１のセル（１３０）内に位置するユーザ機器についての、前記少なくとも１つの第１のセル（１３０）以外の１つ以上のセルへの、イベントのバーストの数及び／又は無線リンク追加の試行の数に関する情報を収集すること（２０１）、
を含み、
前記方法は、
前記少なくとも１つの第１のセル（１３０）内に位置するユーザ機器についての、前記少なくとも１つの第１のセル（１３０）以外の１つ以上のセルへの、イベントのバーストの前記数及び／又は無線リンク追加の試行の数に関連する１つ以上の追加及び／又は除外閾値に基づいて、前記少なくとも１つの第１のセル（１３０）についての隣接セルリストを判定すること（２０２）と、
前記少なくとも１つの第１のセル（１３０）についての判定される前記隣接セルリストを、前記少なくとも１つの第１のセル（１３０）にサービスする前記第２のネットワークノード（１４０；１４１）へ提供すること（２０３）と、
をさらに含むことを特徴とする、
方法。
【請求項１６】
前記判定すること（２０２）は、
前記少なくとも１つの第１のセル（１３０）内に位置するユーザ機器についての、第２のセルへの無線リンク追加の試行の前記数が第１の除外閾値を下回る場合に、前記少なくとも１つの第１のセル（１３０）についての前回の隣接セルリストから前記第２のセルを除外すること、
をさらに含む、請求項１５に記載の方法。
【請求項１７】
前記判定すること（２０２）は、
前記少なくとも１つの第１のセル（１３０）内に位置するユーザ機器についての他のセルへの無線リンク追加の試行の合計数に対して相対的な、前記少なくとも１つの第１のセル（１３０）内に位置するユーザ機器についての前記第２のセルへの無線リンク追加の試行の前記数が、第２の除外閾値を超える場合に、前記少なくとも１つの第１のセル（１３０）についての前記前回の隣接セルリストから前記第２のセルを除外すること、
をさらに含む、請求項１６に記載の方法。
【請求項１８】
前記判定すること（２０２）は、
前記少なくとも１つの第１のセル（１３０）内に位置するユーザ機器についての、前記第２のセルへの無線リンク追加の試行の成功数を収集すること、
をさらに含み、
前記判定すること（２０２）は、
前記少なくとも１つの第１のセル（１３０）内に位置するユーザ機器についての前記第２のセルへの無線リンク追加の試行の前記成功数に対して相対的な、前記少なくとも１つの第１のセル（１３０）内に位置するユーザ機器についての前記第２のセルへの無線リンク追加の試行の前記数が、第３の除外閾値を超える場合に、前記少なくとも１つの第１のセル（１３０）についての前記前回の隣接セルリストから前記第２のセルを除外すること、
をさらに含む、
請求項１７に記載の方法。
【請求項１９】
前記判定すること（２０２）は、
前記前回の隣接セルリスト上のセルの数が、隣接セルリストにとって好ましいセル数を上回る場合に、除外閾値の第１のセットを使用することと、
前記前回の隣接セルリスト上のセルの数が、隣接セルリストにとって好ましいセル数を下回る場合に、除外閾値の第２のセットを使用することと、
をさらに含み、
除外閾値の前記第１のセットは、除外閾値の前記第２のセットよりも非制限的である、
請求項１６〜１８のいずれかに記載の方法。
【請求項２０】
前記少なくとも１つの第１のセル（１３０）についての前記前回の隣接セルリストから前記第２のセルが除外される際に、前記判定すること（２０２）は、
前記第２のセルについての前記隣接セルリストが前記少なくとも１つの第１のセル（１３０）を含むかどうかをチェックすることと、
もし含む場合には、前記第２のセル内に位置するユーザ機器についての前記少なくとも１つの第１のセル（１３０）への無線リンク追加の試行の前記数が第４の除外閾値を下回る場合と、セル間の逆方向の関係が必要とされる場合と、を除いて、前記第２のセルに関連する前記少なくとも１つの第１のセル（１３０）についての前記第１、第２、及び第３の除外閾値を使用して、前記第２のセルについての前記隣接セルリストから前記少なくとも１つの第１のセル（１３０）を除外することと、
をさらに含む、請求項１６〜１９のいずれかに記載の方法。
【請求項２１】
前記判定すること（２０２）は、
前記少なくとも１つの第１のセル（１３０）内に位置するユーザ機器についての、前記少なくとも１つの第１のセル（１３０）についての前回の隣接セルリスト上の他のセルへの無線リンク追加の試行の合計数に対して相対的な、前記少なくとも１つの第１のセル（１３０）内に位置するユーザ機器についての第３のセルへのイベントのバーストの前記数が、第１の追加閾値を超える場合に、前記少なくとも１つの第１のセル（１３０）についての前記前回の隣接セルリストへ前記第３のセルを追加すること、
をさらに含む、請求項１５〜２０のいずれかに記載の方法。
【請求項２２】
前記判定すること（２０２）は、
前記少なくとも１つの第１のセル（１３０）内に位置するユーザ機器についての第３のセルへのイベントのバーストの前記数が、第２の追加閾値を上回る場合に、前記少なくとも１つの第１のセル（１３０）についての空の隣接セルリストへ前記第３のセルを追加すること、
をさらに含む、請求項１５〜２１のいずれかに記載の方法。
【請求項２３】
前記判定すること（２０２）は、
前記前回の隣接セルリスト上のセルの数が、隣接セルリストにとって好ましいセル数を上回る場合には、追加閾値の第１のセットを使用することと、
前記前回の隣接セルリスト上のセルの数が、隣接セルリストにとって好ましいセル数を下回る場合には、追加閾値の第２のセットを使用することと、
をさらに含み、
追加閾値の前記第１のセットは、追加閾値の前記第２のセットよりも制限的である、
請求項２１〜２２のいずれかに記載の方法。
【請求項２４】
前記第３のセルが前記少なくとも１つの第１のセル（１３０）についての前記空の又は前回の隣接セルリストへ追加される際に、前記判定すること（２０２）は、
前記第３のセルについての前記隣接セルリストが前記少なくとも１つの第１のセル（１３０）を含むかどうかをチェックすることと、
もし含まない場合には、前記第３のセルについての前記隣接セルリスト上の隣接セルの数が前記第３のセルについての前記隣接セルリストにとって好ましい隣接セル数を上回る場合と、セル間の逆方向の関係が許可されない場合と、を除いて、前記第３のセルについての前記隣接セルリストへ前記少なくとも１つの第１のセル（１３０）を追加することと、
をさらに含む、請求項２１〜２３のいずれかに記載の方法。
【請求項２５】
前記少なくとも１つの第１のセル（１３０）についての前記前回の隣接セルリストへ前記第３のセルが追加される際に、前記判定すること（２０２）は、
前記第３のセルの前記スクランブリングコードが、前記少なくとも１つの第１のセル（１３０）についての前記前回の隣接セルリスト内に含まれる前記セルの前記スクランブリングコードのいずれか１つと同じである場合に、前記第３のセルを追加するのを控えること、
をさらに含む、請求項２１〜２４のいずれかに記載の方法。
【請求項２６】
イベントのバーストの前記数は、欠落した隣接イベント（ＩＮＴＥＲＮＡＬ＿ＳＯＨＯ＿ＤＳ＿ＭＩＳＳＩＮＧ＿ＮＥＩＧＨＢＯＲ）の数である、請求項２１〜２５のいずれかに記載の方法。
【請求項２７】
前記第１のネットワークノード（１１０）は、中間ネットワークノード（１２０；１２１；１２２）を介して前記第２のネットワークノード（１４０；１４１）へ接続されるように配置される、請求項１５〜２６のいずれかに記載の方法。
【請求項２８】
前記第１のネットワークノードはＯＳＳ−ＲＣ（Operations  Support  System  for  Radio  &  Core）ノード（１１０）であり、前記中間ノードは無線ネットワークコントローラ（ＲＮＣ）ノード（１２０；１２１；１２２）であり、前記第２のネットワークノードは無線基地局（ＲＢＳ）ノード（１４０；１４１）である、請求項１５〜２７のいずれかに記載の方法。
【発明の詳細な説明】
【技術分野】
【０００１】
ここでの実施形態は、広帯域符号分割多重アクセス（ＷＣＤＭＡ）ネットワークにおけるデバイス及び方法に関連する。具体的には、ここでの実施形態は、ＷＣＤＭＡネットワーク内のセルについての隣接セルリストを提供することに関連する。
【背景技術】
【０００２】
隣接セルサポート（ＮＣＳ）は、広帯域符号分割多重アクセス（ＷＣＤＭＡ）ネットワーク内のＯＳＳ−ＲＣ（Operations  Support  System  for  Radio  &  Core）における特徴である。ＯＳＳ−ＲＣにおけるＮＣＳの特徴は、ＷＣＤＭＡネットワーク内の情報を複数の異なるソースから収集し、ＷＣＤＭＡネットワークの運用者へ多様なレポートにおいて結果を提示するように構成される。
【０００３】
例えば、ＯＳＳ−ＲＣ内の構成サービス（ＣＳ）を介して、ＮＣＳの特徴は、様々なネットワークエレメントからデータを収集し得る。これは、ＷＣＤＭＡ無線アクセスネットワーク内に存在する無線ネットワークコントローラ（ＲＮＣ）及びセル、セルにより使用される周波数及びスクランブリングコード、各セルの定義された隣接関係、各セルの位置データなどを含み得る。
【０００４】
他の例によれば、ＮＣＳの特徴は、定義される隣接セル関係の使用の程度を測定する性能管理カウンタからの情報をも収集し得る。
【０００５】
さらなる例によれば、ユーザ機器（ＵＥ）は、自身の無線環境を継続的にモニタリングする。セルの隣接セルリスト内で隣接セルとして定義された隣接セルが測定されるのみならず、ＵＥ内のバックグラウンドのスキャニングプロセスによって、未定義の隣接セルであるセルもまた検出されることができる。ＵＥは、例えばセルについての測定結果が何らかの基準を満たしているといった、何らかのイベントが発生した際にのみ、評価を行ってネットワークへ測定レポートを送信するように構成される。このコンセプトは、イベントトリガ型レポーティングと呼ばれる。これらイベントは、ＷＣＤＭＡネットワーク内のＧＰＥＨ（General  Performance  Event  Handling）機能により収集される。ＮＣＳの特徴は、各セルについてＧＰＥＨイベントの記録をスケジューリングし、記録のファイルを収集し、各セルの周囲のセルの測定に関連するＧＰＥＨイベントを処理し得る。
【０００６】
よって、ＮＣＳの特徴は、ＷＣＤＭＡネットワークの運用者が適切に定義された隣接セル関係でセルの隣接セルリストを生成し及び更新するためにそのレポートを閲覧することを可能とする。ＷＣＤＭＡネットワーク内では、隣接セルリストは、セル間のソフトハンドオーバ（ＳＯＨＯ）を実行する際に使用される。
【０００７】
適切に定義された隣接セル関係はＷＣＤＭＡネットワーク内でＳＯＨＯを実行する際に破棄される呼をより少なくすることに最も寄与する要因の１つである一方、そうした適切に定義された隣接セル関係を達成することは、運用者から多くのリソースと隣接セル関係の知識とを要する。また、隣接セル関係及びリソースに関する運用者の知識に依存して、ＷＣＤＭＡネットワーク内のセルについての隣接セルリストの構成及び更新は、有意に相違し得る。
【発明の概要】
【発明が解決しようとする課題】
【０００８】
ここでの実施形態の目的は、無線通信ネットワークにおいて統一的で一貫性のあるネットワークノードの隣接セルリスト構成を提供することである。
【課題を解決するための手段】
【０００９】
ここでの実施形態の第１の局面に従えば、当該目的は、無線通信ネットワーク内の少なくとも１つの第１のセルについての隣接セルリストを提供するための第１のネットワークノードが提供されるによって達成される。当該少なくとも１つの第１のセルは、第１のネットワークノードへ接続される少なくとも１つの第２のネットワークノードによりサービスされる。第１のネットワークノードは、少なくとも１つの第１のセル内に位置するユーザ機器についての、当該少なくとも１つの第１のセル以外の１つ以上のセルへの、イベントのバーストの数及び／又は無線リンク追加の試行の数に関する情報を収集するように構成される収集ユニットを備える。第１のネットワークノードは、少なくとも１つの第１のセル内に位置するユーザ機器についての、当該少なくとも１つの第１のセル以外の１つ以上のセルへの、イベントのバーストの数及び／又は無線リンク追加の試行の数に関連する１つ以上の追加及び／又は除外閾値に基づいて、当該少なくとも１つの第１のセルについての隣接セルリストを判定するように構成される判定ユニットをさらに備える。また、第１のネットワークノードは、少なくとも１つの第１のセルについての判定される隣接セルリストを、当該少なくとも１つの第１のセルにサービスする第２のネットワークノードへ提供するように構成される提供ユニットを備える。
【００１０】
ここでの実施形態の第２の局面に従えば、当該目的は、無線通信ネットワーク内の少なくとも１つの第１のセルについての隣接セルリストを提供するための、第１のネットワークノードにおける方法によって達成される。当該少なくとも１つの第１のセルは、第１のネットワークノードへ接続される少なくとも１つの第２のネットワークノードによりサービスされる。第１のネットワークノードは、少なくとも１つの第１のセル内に位置するユーザ機器についての、当該少なくとも１つの第１のセル以外の１つ以上のセルへの、イベントのバーストの数及び／又は無線リンク追加の試行の数に関する情報を収集する。また、第１のネットワークノードは、少なくとも１つの第１のセル内に位置するユーザ機器についての、当該少なくとも１つの第１のセル以外の１つ以上のセルへの、イベントのバーストの数及び／又は無線リンク追加の試行の数に関連する１つ以上の追加及び／又は除外閾値に基づいて、当該少なくとも１つの第１のセルについての隣接セルリストを判定する。そして、第１のネットワークノードは、少なくとも１つの第１のセルについての判定された隣接セルリストを、当該少なくとも１つの第１のセルにサービスする第２のネットワークノードへ提供する。
【発明の効果】
【００１１】
上述のようにイベントのバーストの数及び／又は無線リンク追加の試行の数に関連する複数の異なる除外及び追加閾値に基づいてセルについての隣接セルリストを判定することにより、ネットワークノードは、経験の浅い運用者により行われる本質的に不完全な手動の構成に依存するというリスクをおかすことなく、うまく機能する予測可能な隣接セルリストで構成され及び更新され得る。
【００１２】
このため、ネットワークノードは、無線通信ネットワークにおいて統一的で一貫性のある隣接セルリスト構成を可能とする。
【図面の簡単な説明】
【００１３】
実施形態の特徴及び利点は、添付の図面を参照して以下のその例示的な実施形態の詳細な説明により、当業者には容易に明らかになるであろう。
【００１４】
【図１】無線通信ネットワーク内の無線アクセスネットワークにおける実施形態を示す概略ブロック図である。
【図２】ネットワークノードにおける方法の実施形態を示すフロー図である。
【図３】ネットワークノードの実施形態を示すブロック図である。
【図４】ネットワークノードにおける方法の実施形態を示すフロー図である。
【図５】ネットワークノードにおける方法の実施形態を示すフロー図である。
【図６】ネットワークノードにおける方法の実施形態を示すフロー図である。
【図７】ネットワークノードにおける方法の実施形態を示すフロー図である。
【図８】ネットワークノードにおける方法の実施形態を示すフロー図である。
【図９】ネットワークノードにおける方法の実施形態を示すフロー図である。
【発明を実施するための形態】
【００１５】
図は概略的であり明瞭性のために簡略化されており、ここで提示される実施形態の理解に不可欠な詳細のみを示しており、他の詳細は省かれている。終始、同一の又は対応する部分又はステップには同じ参照符号が使用されている。
【００１６】
図１は、ここでの実施形態が実現され得る通信システム１００を示す。このセルラ通信システム１００は、広帯域符号分割多重アクセス（ＷＣＤＭＡ）ネットワークなどの無線通信ネットワークである。
【００１７】
通信システム１００は、第１のネットワークノード１１０を含む。このコアネットワークノード１１０は、ＯＳＳ−ＲＣ（Operations  Support  System  for  Radio  &  Core）ノードである。第１のネットワークノード１１０は、ここでは、コアネットワークノードとしても言及され得る。第１のネットワークノード１１０は、データストレージ１１１を含むか又はそれへ接続されるように構成され得る。第１の無線ネットワークノード１１０は、無線アクセスネットワーク１０１を構成するように配置される構成サービス（ＣＳ）の特徴を伴って構成される。第１の無線ネットワークノード１１０は、上の背景技術のセクションで述べたような、隣接セルサポート（ＮＣＳ）の特徴をも伴って構成される。
【００１８】
第１のネットワークノード１１０は、無線アクセスネットワーク１０１内の１つ以上の中間ノード１２０、１２１、１２２へ接続されるようにも配置され得る。この１つ以上の中間ノード１２０、１２１、１２２は、無線ネットワークコントローラ（ＲＮＣ）ノードである。
【００１９】
中間ノード１２０、１２１、１２２は、無線アクセスネットワーク１０１内の１つ以上の第２のネットワークノード１４０、１４１にサービスするように構成される。第２のネットワークノード１４０、１４１は、基地局として言及され得る。第２のネットワークノード１４０、１４１は各々、セル１３０、１３１にそれぞれサービスする。この例では、第２のネットワークノード１４０、１４１は、例えば、ｅＮＢ、ｅＮｏｄｅＢ、若しくはＨｏｍｅ  Ｎｏｄｅ  Ｂ、Ｈｏｍｅ  ｅＮｏｄｅ  Ｂ、フェムト基地局（ＢＳ）、ピコＢＳ、又は、通信システム１００内の無線アクセスネットワーク１０１におけるセル１３０、１３１それぞれ内に位置するユーザ機器又はマシンタイプ通信デバイスにサービスすることのできる他のいかなるネットワークユニットであってもよい。
【００２０】
ユーザ機器１６０は、セル１３０内に位置する。ユーザ機器１６０は、第２のネットワークノード１４０によりサービスされているセル１３０内にユーザ機器１６０が存在するとき、通信システム１００内でネットワークノード１４０を介して無線リンク１５０上で通信するように構成される。ユーザ機器１６０は、例えば、移動端末、無線端末、携帯電話、例えばラップトップ、ＰＤＡ（Personal  Digital  Assistant）、若しくはサーフプレートとして言及されることもあるタブレットコンピュータといった、ワイヤレスケイパビリティを伴うコンピュータ、プリンタ若しくはファイルストレージデバイスといった、無線インタフェースを備えるデバイス、又は通信システム内の無線リンク上で通信することができる他のいかなる無線ネットワークユニットであってもよい。
【００２１】
第１のネットワークノード１１０における方法の実施形態について、図２に示されるフロー図を参照して以下に説明する。図２のフロー図は、無線通信ネットワーク１００内の第１のセル１３０についての隣接セルリストを提供するための、第１のネットワークノード１１０における方法を説明したものである。第１のセル１３０は、第１のネットワークノード１１０へ接続された少なくとも１つの第２のネットワークノード１４０、１４１によりサービスされる。なお、第１のセル１３０に関して以下に説明される例示的な実施形態は、無線アクセスネットワーク１０１における任意の数のセル、又はすべてのセルについて実行され得る。
【００２２】
アクション２０１
第１のセル１３０についてのデータを収集する場合、第１のネットワークノード１１０は、例えば図１におけるユーザ機器１６０といった、第１のセル１３０内に位置するユーザ機器についての、例えば図１におけるセル１３１といった、第１のセル１３０以外の１つ以上のセルへの、イベントのバーストの数及び／又は無線リンク追加の試行の数に関する情報を収集する。第１のネットワークノード１１０は、第１のセル１３０にサービスする中間ノード（ＲＮＣ）１２０から、この情報を継続的に収集し得る。
【００２３】
イベントのバーストの数及び／又は無線リンク追加の試行の数に関する情報は、第１のネットワークノード１１０内のＮＣＳの特徴によりスケジューリングされる１つ以上の記録期間にわたって、第１のネットワークノード１１０により収集され得る。記録期間は、ＮＣＳ記録定義ウィンドウ内で特定される。ＮＣＳ記録定義ウィンドウは、記録名、記録についてのタイムスケジュール、記録に含まれるべきセルのセット、及びＧＰＥＨ（General  Performance  Event  Handling）イベント、カウンタ、又はその両方の選択、を含み得る。タイムスケジュールは、記録が実行される曜日、及び当該タイムスケジュールが繰り返される回数を判定する。データ収集及びアクティブな記録の各期間は、記録期間（recording  period）として言及され得る。１つの記録期間のタイムリミット、又は最初の記録期間の開始から最後の記録期間の終わりまでは、２４時間である。
【００２４】
ここでは、イベントのバーストの数は、１つ以上の記録期間にわたって第１のセル１３０内のユーザ機器からＧＰＥＨ（General  Performance  Event  Handling）機能により収集される１つのソフトハンドオーバイベントについての総体的な一群のイベントを指す。同じソフトハンドオーバイベントについていくつかのイベントが登録されることがあり得るが、イベントのバーストを登録することで、確実に、単一のハンドオーバイベントが１回のみカウントされる。イベントは、ＧＰＥＨ機能により定義される、欠落した（missing）隣接イベントＩＮＴＥＲＮＡＬ＿ＳＯＨＯ＿ＤＳ＿ＭＩＳＳＩＮＧ＿ＮＥＩＧＨＢＯＲＳであり得る。これらのイベントは、第１のセル１３０の未定義の隣接セルについてのみ、すなわち第１のセル１３０についての現行の隣接セルリストに定義されていないセルについてのみ発生する。
【００２５】
このため、イベントのバーストの数は、この隣接セル関係が第１のセル１３０についての隣接セルリスト内に定義されていれば当該隣接セル関係が有したはずの、無線リンク追加の試行の数の推定値を提供する。
【００２６】
したがって、イベントのバーストの数は、これ以降、“無線リンク追加の試行の想定数（possible  number）”として言及され、“想定ＲｌＡｄｄＡｔｔ”と記される。
【００２７】
さらに、無線リンク追加の試行の数は、ここでは、１つ以上の記録期間にわたって第１のセル１３０内のユーザ機器により実施される、例えば図１におけるセル１３１といった別のセルへのソフトハンドオーバシグナリングの試行の合計数を指す。これらのソフトハンドオーバシグナリングの試行は、第１のセル１３０の定義済みの隣接セルについてのみ、すなわち第１のセル１３０についての現行の隣接セルリスト内に定義されているセルについてのみ発生する。これ以降、無線リンク追加の試行の数は、“ＲｌＡｄｄＡｔｔ”と記される。
【００２８】
加えて、第１のネットワークノード１１０は、第１のセル１３０内に位置するユーザ機器についての、第１のセル１３０以外の１つ以上のセルへの無線リンク追加の試行であって、成功した試行、すなわち第１のセル１３０から隣接セルへのソフトハンドオーバが成功裏に行われた場合の回数、に関する情報も収集し得る。これもまた、第１のネットワークノード１１０内のＮＣＳの特徴によりスケジューリングされる１つ以上の記録期間にわたって行われ得る。
【００２９】
この収集は、第１のセル１３０についての隣接セルリストに定義されている隣接セル関係を第１のセル１３０についての隣接セルリストからいつ除外せねばならないかを検出するために行われ得る。
【００３０】
アクション２０２
このアクションでは、第１のネットワークノード１１０は、第１のセル１３０についての隣接セルリストを判定する。これは、第１のセル１３０内に位置するユーザ機器についての、第１のセル１３０以外の１つ以上のセルへの、イベントのバーストの数及び／又は無線リンク追加の試行の数、すなわちアクション２０１で収集された情報に関連する、１つ以上の追加及び／又は除外閾値に基づいて行われる。
【００３１】
判定される追加及び／又は除外閾値を使用することにより、第１のネットワークノード１１０は、第１のセル１３０についての隣接セルリストに含まれるべき隣接セル関係を、運用者の介入なしに予想可能で一貫性があり統一的な方法で、判定することができる。これは、第１のネットワークノード１１０が、適切に定義された隣接セル関係で、第１のセル１３０についての隣接セルリストを生成し及び継続的に更新することができることをも意味する。
【００３２】
追加及び除外閾値がどのように判定され得るかの例については、図８〜図９を参照してより詳細に後述する。
【００３３】
第１のセル１３０についての隣接セルリストが空の場合、すなわち当該リストが定義された隣接セル関係を含んでいないか、又は存在しない場合、第１のネットワークノード１１０は、空の隣接セルリストに隣接セル関係を追加することにより、隣接セルリストを判定してよい。隣接セル関係の追加が第１のネットワークノード１１０によりどのように行われ得るかを示す例示的な実施形態については、図４〜図５を参照してより詳細に後述する。
【００３４】
第１のセル１３０についての前回の隣接セルリストが既に存在する場合、すなわち１つ以上の定義された隣接セル関係を含む隣接セルリストが存在する場合、第１のネットワークノード１１０は、当該前回の隣接セルリストから隣接セル関係を最初に除外することにより、隣接セルリストを判定してよい。隣接セル関係の除外が第１のネットワークノード１１０によりどのように行われ得るかを示す例示的な実施形態については、図６〜図７を参照してより詳細に後述する。
【００３５】
そして、前回の隣接セルリストから隣接セル関係を除外した後に、第１のネットワークノード１１０は、当該前回の隣接セルリストに隣接セル関係を追加してよい。これは、空の隣接セルリストについて前述したのと同じ方法で行われ得る。これを行うのは、新しい隣接セル関係が追加される前に、不首尾の隣接セル関係を隣接セルリストから除外することにより、手順を簡略化し及び不要な処理ステップを回避するためである。
【００３６】
アクション２０３
アクション２０２で第１のセル１３０についての隣接セルリストが判定されると、第１のネットワークノード１１０は、第１のセル１３０についての判定された隣接セルリストを、第１のセル１３０にサービスする第２のネットワークノード１４０へ提供してよい。これは、第１のネットワークノード１１０内の構成管理（ＣＭ）の特徴における構成サービス（ＣＳ）の特徴によって行われ得る。これは、中間ネットワークノード１２０を介しても行われ得る。よって、第２のネットワークノード１４０は、第１のセル１３０についての、更新され及び適切に構成された隣接セルリストを、与えられ及び使用し得る。
【００３７】
無線通信ネットワーク１００内の第１のセル１３０についての隣接セルリストを提供するための方法のアクションを実行するために、第１のネットワークノード１１０は、図３に示される下記の構成（arrangement）を含む。図３は、第１のネットワークノード１１０の実施形態の概略ブロック図を示す。なお、第１のセル１３０に関して以下に説明する例示的な実施形態は、無線アクセスネットワーク１０１における任意の数のセル、又はすべてのセルについて実行され得る。
【００３８】
上述のように、第１のセル１３０は、第１のネットワークノード１１０へ接続された少なくとも１つの第２のネットワークノード１４０、１４１によりサービスされる。
【００３９】
第１のネットワークノード１１０は、処理回路としても言及され得る処理ユニット３１０を含む。処理ユニット３１０は、構成サービス（ＣＳ）の特徴及び隣接セルサポート（ＮＣＳ）の特徴を伴って構成される。第１のネットワークノード１１０、又は第１のネットワークノード１１０内の処理ユニット３１０は、収集ユニット３０１、判定ユニット３０２、及び提供ユニット３０３を含み得る。
【００４０】
収集ユニット３０１は、第１のセル１３０内に位置するユーザ機器についての、少なくとも１つの第１のセル１３０以外の１つ以上のセルへの、イベントのバーストの数及び／又は無線リンク追加の試行の数に関する情報を収集するように構成される。収集ユニット３０１は、少なくとも１つの第１のセル１３０内に位置するユーザ機器についての、第２のセルへの無線リンク追加の試行の成功数を収集するようにも構成され得る。
【００４１】
判定ユニット３０２は、少なくとも１つの第１のセル１３０内に位置するユーザ機器についての、第１のセル１３０以外の１つ以上のセルへの、イベントのバーストの数及び／又は無線リンク追加の試行の数に関連する、１つ以上の追加及び／又は除外閾値に基づいて、第１のセル１３０についての隣接セルリストを判定するように構成される。追加及び除外閾値が判定ユニット３０２によりどのように判定され得るかの例については、図８〜図９を参照してより詳細に後述する。
【００４２】
第１のセル１３０についての隣接セルリストが空の場合、すなわち定義された隣接セル関係を含んでいない場合、判定ユニット３０２は、隣接セル関係を空の隣接セルリストに追加することにより、隣接セルリストを判定してよい。隣接セル関係の追加が判定ユニット３０２によりどのように行われ得るかを示す例示的な実施形態については、図４〜図５を参照してより詳細に後述する。
【００４３】
第１のセル１３０についての前回の隣接セルリストが既に存在する場合、すなわち１つ以上の定義された隣接セル関係を含む隣接セルリストが存在する場合、判定ユニット３０２は、当該前回の隣接セルリストから隣接セル関係を最初に除外することにより、隣接セルリストを判定してよい。隣接セル関係の除外が判定ユニット３０２によりどのように行われ得るかを示す例示的な実施形態については、図６〜図７を参照してより詳細に後述する。
【００４４】
そして、前回の隣接セルリストから隣接セル関係を除外した後に、判定ユニット３０２は、当該前回の隣接セルリストに隣接セル関係を追加してよい。これは、空の隣接セルリストについて上述したのと同じ方法で、行われ得る。
【００４５】
提供ユニット３０３は、第１のセル１３０についての判定された隣接セルリストを、第１のセル１３０にサービスする第２のネットワークノード１４０、１４１へ提供するように構成される。
【００４６】
少なくとも１つの第１のセル１３０についての隣接セルリストを提供するためのここでの実施形態は、図３に示される第１のネットワークノード１１０内の処理ユニット３１０など、１つ以上のプロセッサにより、ここでの実施形態の機能及びアクションを実行するためのコンピュータプログラムコードと共に、実現され得る。上記プログラムコードは、コンピュータプログラムプロダクトとしても、例えば、第１のネットワークノード１１０内にロードされた際にここでの実施形態を実行するためのコンピュータプログラムコードを担持するデータキャリアの形でも、提供されてよい。こうしたキャリアの１つは、ＣＤ−ＲＯＭディスクの形であってよい。しかしながら、メモリスティックなど、他のデータキャリアでも実現可能である。さらに、コンピュータプログラムコードは、サーバ上に純粋プログラムコードとして提供されて第１のネットワークノード１１０へダウンロードされてもよい。
【００４７】
第１のネットワークノード１１０は、１つ以上のメモリユニットを含むメモリ３２０をさらに含み得る。メモリ３２０は、例えば、第１のネットワークノード１１０内で実行される際にここでの方法を行うために、送信バーストのエネルギを第２のエネルギレベルへと増大させねばならない１つ以上のインターバルに関する情報などの、データを格納するのに使用されるように配置され得る。
【００４８】
上述の処理ユニット３１０及びメモリ３２０は、アナログ回路及びデジタル回路の組み合わせを指し得ること、並びに／又は、例えばメモリに格納され、処理ユニット３１０などの１つ以上のプロセッサにより実行される際に上述のように機能するソフトウェア及び／若しくはファームウェアを用いて構成される１つ以上のプロセッサを指し得ること、をも当業者は理解するであろう。これらのプロセッサの１つ以上、及び他のデジタルハードウェアは、単一の特定用途向け集積回路（ＡＳＩＣ）に含まれてもよく、又はいくつかのプロセッサ及び様々なデジタルハードウェアは、個々にパッケージされているかＳｏＣ（system-on-a-chip）内に組み込まれているかを問わず、いくつかの別個の構成要素間に分散されてもよい。  
【００４９】
第１のネットワークノード１１０が中間ネットワークノード１２０、１２１、１２２を介して第２のネットワークノード１４０、１４１へ接続されるように構成され得ることにも留意されたい。第１のネットワークノードは、ＯＳＳ−ＲＣ（Operations  Support  System  for  Radio  &  Core）ノード１１０であってよい。中間ノードは、無線ネットワークコントローラ（ＲＮＣ）ノード１２０、１２１、１２２であってよい。第２のネットワークノードは、無線基地局（ＲＢＳ）ノード１４０、１４１であってよい。
【００５０】
隣接セル関係の追加が第１のネットワークノード１１０によりどのように行われ得るかを示す例示的な実施形態について、図４に示されるフロー図を参照して以下に説明する。図４のフロー図は、ある隣接セル関係が少なくとも１つの第１のセル１３０の隣接セルリスト内に含まれるべきかどうかを、第１のネットワークノード１１０が追加閾値を使用してどのように判定し得るかの例示の実施例を表す。これは、第１のネットワークノード１１０内の判定ユニット３０２及び／又は処理ユニット３１０により実行され得る。
【００５１】
この方法は、下記の複数のアクションを含み得るが、これらのアクションは任意の好適な順序又は組み合わせで行われてよい。また、以下に示されるアクション又は動作は単に例示であり、よって、すべてのアクション又は動作が行われる必要はない、ということも理解されたい。また、第１のセル１３０に関して以下に示される例示的な実施形態は、無線アクセスネットワーク１０１における任意の数のセル、又はすべてのセルについて実行され得ることにも留意されたい。
【００５２】
アクション４０１
第１のセル１３０について、第１のネットワークノード１１０は、アクション２０１において上述したように収集された第１のセル１３０についての情報を取り出してよい。このため、第１のネットワークノード１１０内のＮＣＳの特徴によりスケジューリングされたある特定の記録期間にわたって記録された、第１のセル１３０内に位置するユーザ機器についての、他の隣接セルへの無線リンク追加の試行の想定数（“想定ＲｌＡｄｄＡｔｔ”）を、第１のネットワークノード１１０は取り出してよい。これはすなわち、第１のセル１３０についてのイベントのバーストの数である。
【００５３】
よって、第１のネットワークノード１１０は、第１のセル１３０についての新たな、おそらくは重要な隣接セル関係を知ることになる。
【００５４】
アクション４０２
第１のセル１３０についての最も重要な新たな隣接セル関係を最初に扱うために、第１のネットワークノード１１０は、第１のセル１３０についての複数の隣接セル関係をソートしてよい。第１のセル１３０についての隣接セル関係は、例えば“想定ＲｌＡｄｄＡｔｔ”の最大数に基づいてソートされてよい。
【００５５】
アクション４０３
いくつかの実施形態では、第１のセル１３０についての隣接セルリストへの隣接セル関係の追加についての閾値をここで、図９を参照して後述するように、選択してよい。代替的に、追加閾値の１セットのみがデフォルト値として設定される。追加閾値、又は追加閾値のセットは、第１のネットワークノード１１０において手動で構成されるか、又は第１のネットワークノード１１０に含まれ得る。
【００５６】
アクション４０４
ここで、第１のネットワークノード１１０は、１つの隣接セル関係を選択してよい。いくつかの実施形態では、これは、“想定ＲｌＡｄｄＡｔｔ”が最も大きい数である隣接セル関係、又はアクション４０２で述べたソートされた隣接セル関係のうち最も上にある隣接セル関係であってよい。これにより、最も大切な隣接セル関係が確実に最初に処理される。
【００５７】
アクション４０５
このアクションでは、第１のネットワークノード１１０は、選択された隣接セル関係が良好な（good）隣接セル関係であるかどうかを判定してよい。第１のネットワークノード１１０は、図５を参照して後述するように、選択された隣接セル関係が良好か否かを判定してよい。選択された隣接セル関係が良好な隣接セル関係であると第１のネットワークノード１１０が判定すれば、第１のネットワークノード１１０はアクション４０６へ進む。
【００５８】
しかしながら、選択された隣接セル関係が良好な隣接セル関係ではないと第１のネットワークノード１１０が判定すれば、第１のネットワークノード１１０はアクション４１１へ進む。
【００５９】
アクション４０６
このアクションでは、第１のネットワークノード１１０は、当該良好な隣接セル関係にある対象セルについての隣接セルリスト内に、逆方向の隣接セル関係が含まれているかどうかをチェックしてよい。良好な隣接セル関係において、対象セルは、第１のセル１３０からユーザ機器によりソフトハンドオーバが試行された相手である隣接セルである。これは、良好な隣接セル関係を、当該良好な隣接セル関係にある対象セルについての隣接セルリストにも、すなわち両方向において追加すべきかどうか、を判定するために行われ得る。加えて、ネットワークノード１１０は、こうした逆方向の隣接セル関係が第１のネットワークノード１１０においてブロックされているか、すなわち許可されないかどうかをチェックしてもよい。
【００６０】
これらのいずれか１つに対してＹｅｓであれば、第１のネットワークノード１１０はアクション４０７へ進んでよい。Ｎｏであれば、第１のネットワークノード１１０はアクション４０８へ進んでよい。
【００６１】
換言すれば、第１のネットワークノード１１０は、そのセルについての隣接セルリストが第１のセル１３０を含むかどうか、すなわちそのセル関係がその中に既に定義されているかどうか、又は、そのセルと第１のセル１３０との間の逆方向の関係が許可されないかどうか、をチェックしてよい。
【００６２】
アクション４０７
このアクションでは、第１のネットワークノード１１０は、第１のセル１３０の隣接セルリストに対象セルを追加する、すなわち第１のセル１３０の隣接セルリストにおいて当該良好な隣接セル関係を表示する（indicate）。その後、第１のネットワークノード１１０はアクション４１０へ進んでよい。
【００６３】
いくつかの実施形態では、対象セルのスクランブリングコードが、第１のセル１３０についての隣接セルリスト内に既に含まれている複数のセルのスクランブリングコードのうちのいずれか１つと同じであるかどうかを、第１のネットワークノード１１０はチェックしてよい。もしＹｅｓであれば、第１のネットワークノード１１０は、第１のセル１３０の隣接セルリストへ対象セルを追加するのを控えてよい。これが行われ得るのは、スクランブリングコードが隣接セルを識別するために用いられるので、同じ周波数上で同じスクランブリングコードを使用していくつもの隣接セルが送信を行うと、すべての隣接セルを一意に識別することが困難になるからである。それは、第１のセル内での干渉の原因にもなる。
【００６４】
アクション４０８
このアクションでは、第１のネットワークノード１１０は、対象セルについての隣接セルリスト上のセルの数が、対象セルについての隣接セルリストにとって好ましいセル数を下回るかどうかをチェックしてよい。もしＹｅｓであれば、第１のネットワークノード１１０はアクション４０９へ進んでよい。もしＮｏであれば、第１のネットワークノード１１０はアクション４０７へ進んでよい。
【００６５】
これは、対象セルについての隣接セルリストにおいて好ましいセル数を維持するために行われ得る。
【００６６】
アクション４０９
このアクションでは、第１のネットワークノード１１０は、第１のセル１３０の隣接セルリストに対象セルを追加し、対象セルの隣接セルリストに第１のセル１３０を追加する。その後、第１のネットワークノード１１０はアクション４１０へ進んでよい。
【００６７】
これが行われ得るのは、セル関係が一方向で、すなわち第１のセル１３０から対象セルへの方向で良好であれば、他の方向でも、すなわち対象セルから第１のセル１３０への方向でも良好である可能性が非常に高いからである。これは、無線通信ネットワーク１００内の無線アクセスネットワーク１０１において第１のネットワークノード１１０がセルを構成するのにかかる時間を短縮し得る。
【００６８】
アクション４１０
このアクションでは、第１のネットワークノード１１０は、第１のセル１３０の隣接セルリスト内のセルの数を再計算してよい。これは、第１のセル１３０の隣接セルリストを更新することとしても言及され得る。その後、第１のネットワークノード１１０はアクション４１１へ進んでよい。
【００６９】
アクション４１１
このアクションでは、第１のネットワークノード１１０は、次の隣接セル関係を選択してよい。いくつかの実施形態では、これは、“想定ＲｌＡｄｄＡｔｔ”が次に最も大きい数である隣接セル関係、又はアクション４０２で述べたソートされた隣接セル関係のうち、前回の関係の下にある隣接セル関係であってよい。
【００７０】
選択された隣接セル関係が良好な隣接セル関係であるかどうかを第１のネットワークノード１１０がどのように判定するかを示す例示的な実施形態について、図５に示されるフロー図を参照して以下に説明する。これもまた、第１のネットワークノード１１０内の判定ユニット３０２及び／又は処理ユニット３１０により行われ得る。この方法は、下記の複数のアクションを含み得るが、これらのアクションは任意の好適な順序又は組み合わせで行われてよい。また、以下に示されるアクション又は動作は単に例示であり、よって、すべてのアクション又は動作が行われる必要はない、ということも理解されたい。
【００７１】
アクション５０１
このアクションでは、第１のネットワークノード１１０は、第１のセル１３０についての隣接セルリスト内のセルの数が、第１のセル１３０についての隣接セルリストにとって好ましいセル数を下回るかどうかをチェックしてよい。もしＹｅｓであれば、第１のネットワークノード１１０はアクション５０２へ進んでよい。もしＮｏであれば、第１のネットワークノード１１０はアクション５０７へ進んでよい。
【００７２】
これは、第１のセル１３０についての隣接セルリストにおいて好ましいセル数を維持するために行われ得る。
【００７３】
アクション５０２
このアクションでは、第１のネットワークノード１１０は、第１のセル１３０についての隣接セルリストが空かどうか、すなわち隣接セルリストが存在しないか、又は隣接セルリスト内のセルの数がゼロかどうか、をチェックしてよい。もしＹｅｓであれば、第１のネットワークノード１１０はアクション５０３へ進んでよい。そうではなく、前回の隣接セルリストがある場合、すなわち隣接セルリストに１つ以上のセルがある場合、第１のネットワークノード１１０はアクション５０４へ進んでよい。
【００７４】
これは、第１のセル１３０についての前回の隣接セルリストが存在するか否かに応じて異なる処理を達成するために行われ得る。
【００７５】
アクション５０３
いくつかの実施形態では、及び第１のセル１３０についての隣接セルリストが空の場合には、第１のネットワークノード１１０は、第１のセル１３０内に位置するユーザ機器についての、対象セルへのイベントのバーストの数が、第２の追加閾値を上回るかどうかをチェックしてよい。これは、イベントのバーストの数が第２の追加閾値を上回るということは、第１のセル１３０についての隣接セルリストへ対象セルを追加するために第１のセルから対象セルへのソフトハンドオーバが十分に大きな数だけ試行されたこと、を示し得るからである。よって、第１のネットワークノード１１０は、対象セルがこの局面において好適であり、したがって第１のセル１３０についての空の隣接セルリストに追加されることができると判定し得る。このため、もしＹｅｓであれば、第１のネットワークノード１１０はアクション５０５へ進んでよい。
【００７６】
しかしながら、もしＮｏであれば、第１のネットワークノード１１０はアクション５０７へ進んでよい。
【００７７】
アクション５０４
いくつかの実施形態では、及び第１のセル１３０についての前回の隣接セルリストがある場合には、第１のネットワークノード１１０は、第１のセル１３０内に位置するユーザ機器についての、第１のセル１３０についての当該前回の隣接セルリスト上の他の複数のセルへの無線リンク追加の試行の合計数に対して相対的な、第１のセル１３０内に位置するユーザ機器についての、対象セルへのイベントのバーストの数が、第１の追加閾値を超えるかどうかをチェックしてよい。これは、イベントのバーストの数を、第１のセル１３０から行われるソフトハンドオーバの合計数に関連させるために行われる。これが有利なのは、もし例えば第１のセル１３０の隣接セルリスト内に既に定義済みの隣接セルがそのように数多くのソフトハンドオーバを実行するために使用されないならば、ソフトハンドオーバの総量の合計は少なくなるはずだからである。これは、第１のセル１３０の隣接セルリストに新たな隣接セルを追加するのがより容易いことを意味する。他方、もし第１のセル１３０の隣接セルリスト内に既に定義済みの隣接セルが数多くのソフトハンドオーバを実行するために使用されるならば、ソフトハンドオーバの総量の合計は多くなるであろう。これは、第１のセル１３０の隣接セルリストに新たな隣接セルを追加するのがより難しいことを意味する。
【００７８】
よって、第１のネットワークノード１１０はこのようにして、対象セルがこの局面において好適であり、したがって第１のセル１３０についての当該前回の隣接セルリストに追加されることができると判定し得る。このため、もしＹｅｓであれば、第１のネットワークノード１１０はアクション５０５へ進んでよい。
【００７９】
しかしながら、もしＮｏであれば、第１のネットワークノード１１０はアクション５０７へ進んでよい。
【００８０】
アクション５０５
このアクションでは、第１のネットワークノード１１０は、対象セルについての、例えば平均の無線信号コード電力（ＲＳＣＰ）といった平均の信号電力、及び例えば平均の信号対雑音比（ＳＮＲ）といった平均の信号品質が、それぞれ第１の信号閾値及び第２の信号閾値を上回るかどうかをチェックしてよい。これは、追加の品質管理として、及びソフトハンドオーバにおいて潜在的に使用され得る十分に良好な信号を対象セルが確実に有するようにするために行われ得る。よって、第１のネットワークノード１１０はこのようにして、対象セルがこれらの局面において好適であり、したがって第１のセル１３０についての当該空の又は前回の隣接セルリストに追加されることができると判定し得る。
【００８１】
このため、もしＹｅｓであれば、第１のネットワークノード１１０はアクション５０６へ進んでよい。しかしながら、もしＮｏであれば、第１のネットワークノード１１０はアクション５０７へ進んでよい。
【００８２】
アクション５０６
このアクションでは、対象セルは第１のセル１３０についての空の又は前回の隣接セルリストにとって好適であり及び当該リストへ追加されるべきであると、すなわち図４におけるアクション４０５で、選択された隣接セル関係は良好であると、第１のネットワークノード１１０は判定してよい。
【００８３】
アクション５０７
このアクションでは、対象セルは第１のセル１３０についての空の又は前回の隣接セルリストにとって好適ではなく及び当該リストへ追加されるべきではないと、すなわち図４におけるアクション４０５で、選択された隣接セル関係は良好ではないと、第１のネットワークノード１１０は判定してよい。
【００８４】
隣接セル関係の除外が第１のネットワークノード１１０によりどのように行われ得るかを示す例示的な実施形態について、図６に示すフロー図を参照して以下に説明する。図６のフロー図は、ある隣接セル関係が少なくとも１つの第１のセル１３０の隣接セルリストから除外されるべきかどうかを、第１のネットワークノード１１０が除外閾値を使用してどのように判定し得るのかの例示の実施例を表す。これもまた、第１のネットワークノード１１０内の判定ユニット３０２及び／又は処理ユニット３１０により行われ得る。
【００８５】
この方法は、下記の複数のアクションを含み得るが、これらのアクションは任意の好適な順序又は組み合わせで行われてよい。また、以下に示されるアクション又は動作は単に例示であり、よって、すべてのアクション又は動作が行われる必要はない、ということも理解されたい。
【００８６】
また、第１のセル１３０に関して以下に示される例示的な実施形態は、無線アクセスネットワーク１０１における任意の数のセル、又はすべてのセルについて実行され得ることにも留意されたい。
【００８７】
アクション６０１
第１のセル１３０について、第１のネットワークノード１１０は、アクション２０１で上述したように収集された第１のセル１３０についての情報を取り出してよい。このため、第１のネットワークノード１１０は、１つ以上の記録期間にわたる、第１のセル１３０内に位置するユーザ機器についての、別のセルへの無線リンク追加の試行の数（“ＲｌＡｄｄＡｔｔ”）を取り出し得る。
【００８８】
加えて、第１のネットワークノード１１０は、第１のセル１３０内に位置するユーザ機器についての、第１のセル１３０以外の１つ以上のセルへの、無線リンク追加の試行であって、成功した試行の数、すなわち、第１のセル１３０の隣接セルリスト内の定義済みの隣接セルへの無線リンク追加の試行の成功数、に関する情報も取り出してよい。
【００８９】
このため、第１のネットワークノード１１０は、第１のセル１３０についての隣接セルリスト内に定義されている隣接セル関係の必要度（popularity）及び成功度（success）を知ることになる。
【００９０】
アクション６０２
第１のセル１３０についての最も重要な定義済み隣接セル関係を最初に扱うために、第１のネットワークノード１１０は、第１のセル１３０についての複数の隣接セル関係をソートしてよい。第１のセル１３０についての隣接セル関係は、例えば、“ＲｌＡｄｄＡｔｔ”の最大数に基づいてソートされ得る。
【００９１】
アクション６０３
いくつかの実施形態では、第１のセル１３０についての隣接セルリスト内の隣接セル関係の除外についての閾値をここで、図８を参照して後述するように、選択してよい。代替的に、除外閾値の１セットのみがデフォルト値として設定される。除外閾値、又は除外閾値のセットは、第１のネットワークノード１１０において手動で構成されるか、又は、立ち上げ若しくは起動時に使用されるように第１のネットワークノード１１０内に含まれ得る。
【００９２】
アクション６０４
このアクションでは、第１のネットワークノード１１０は、１つの定義済み隣接セル関係を選択する。いくつかの実施形態では、これは、“ＲｌＡｄｄＡｔｔ”が最も大きい数である定義済み隣接セル関係、又はアクション６０２で述べたソートされた隣接セル関係のうち最も上にある隣接セル関係であってよい。
【００９３】
アクション６０５
このアクションでは、第１のネットワークノード１１０は、選択された定義済み隣接セル関係が不良な（bad）隣接セル関係であるかどうかを判定してよい。第１のネットワークノード１１０は、図７を参照して後述するように、選択された隣接セル関係が不良か否かを判定してよい。選択された定義済み隣接セル関係が不良な隣接セル関係であると第１のネットワークノード１１０が判定すれば、第１のネットワークノード１１０はアクション６１４へ進む。
【００９４】
しかしながら、選択された定義済み隣接セル関係が不良な隣接セル関係ではないと第１のネットワークノード１１０が判定すれば、第１のネットワークノード１１０はアクション６０６へ進む。
【００９５】
アクション６０６
不良な隣接セル関係を、当該不良な隣接関係にある対象セル、すなわち、第１のセル１３０からソフトハンドオーバが行われた相手である隣接セル、についての隣接セルリストからも除外すべきかどうかを判定するために、第１のネットワークノード１１０は、そのような逆方向の隣接セル関係が存在するかどうか、すなわち対象セルについての隣接セルリスト内に第１のセル１３０が含まれているかどうか、をチェックしてよい。
【００９６】
もしＮｏであれば、第１のネットワークノード１１０はアクション６０７へ進んでよい。もしＹｅｓであれば、第１のネットワークノード１１０はアクション６０８へ進んでよい。
【００９７】
アクション６０７
このアクションでは、第１のネットワークノード１１０は、第１のセル１３０の隣接セルリストから対象セルを除外する、すなわち第１のセル１３０の隣接セルリストにおける隣接セル関係の表示（indication）を除外する。その後、第１のネットワークノード１１０はアクション６１３へ進んでよい。
【００９８】
アクション６０８
このアクションでは、第１のネットワークノード１１０は、既に存在する逆方向の（ｂｗｄ）隣接セル関係が、必要とされるために定義されているかどうか、すなわち除外されてはならないかどうか、及び／又は対象セル内に位置するユーザ機器についての、第１のセル１３０への“ＲｌＡｄｄＡｔｔ”の数が第４の除外閾値を下回るかどうか、をチェックしてよい。これは、対象セルについての隣接セルリストから大切な隣接セル関係が除外されることが確実にないようにするために行われ得る。もしＹｅｓであれば、第１のネットワークノード１１０はアクション６１２へ進んでよい。
【００９９】
もしＮｏであれば、第１のネットワークノード１１０はアクション６０９へ進んでよい。
【０１００】
アクション６０９
いくつかの実施形態では、対象セルについての隣接セルリストにおける逆方向の隣接セル関係の除外についての閾値をここで、図８を参照して後述されるように、選択してよい。代替的に、除外閾値の１セットのみがデフォルト値として設定される。除外閾値、又は除外閾値のセットは、第１のネットワークノード１１０において手動で構成されるか、又は、立ち上げ若しくは起動時に使用されるように第１のネットワークノード１１０内に含まれ得る。
【０１０１】
アクション６１０
アクション６０５の場合と同様に、第１のネットワークノード１１０は、逆方向の隣接セル関係が不良であるかどうかを判定してよい。第１のネットワークノード１１０は、図７を参照して後述されるように、逆方向の隣接セル関係が不良か否かを判定し得る。逆方向の隣接セル関係が不良な隣接セル関係であると第１のネットワークノード１１０が判定すれば、第１のネットワークノード１１０はアクション６１１へ進む。
【０１０２】
しかしながら、逆方向の定義済み隣接セル関係が不良な隣接セル関係ではないと第１のネットワークノード１１０が判定すれば、第１のネットワークノード１１０はアクション６１２へ進む。
【０１０３】
アクション６１１
このアクションでは、第１のネットワークノード１１０は、第１のセル１３０の隣接セルリストから対象セルを除外し、及び対象セルの隣接セルリストから第１のセル１３０を除外する。その後、第１のネットワークノード１１０はアクション６１３へ進む。
【０１０４】
これが行われ得るのは、セル関係が一方向で、すなわち第１のセル１３０から対象セルへの方向で不良であれば、それは他方向でも、すなわち対象セルから第１のセル１３０への方向でも不良である可能性が非常に高いからである。これは、無線通信ネットワーク１００内の無線アクセスネットワーク１０１において第１のネットワークノード１１０がセルを構成するためにかかる時間を短縮し得る。
【０１０５】
アクション６１２
このアクションでは、第１のネットワークノード１１０は、第１のセルから対象セルへの一方向のみで除外が許可されるかどうか、すなわち第１のセル１３０の隣接セルリスト内の対象セルのみの除外が許可されるかどうか、を判定してよい。いくつかの実施形態では、これは、無線通信ネットワーク１００内の好ましい構成に依存して、許可されたり許可されなかったりすることがある。もしＹｅｓであれば、第１のネットワークノード１１０はアクション６０７へ進んでよい。
【０１０６】
もしＮｏであれば、第１のネットワークノード１１０はアクション６１４へ進んでよい。
【０１０７】
アクション６１３
このアクションでは、第１のネットワークノード１１０は、第１のセル１３０の隣接セルリスト内のセルの数を再計算してよい。これは、第１のセル１３０の隣接セルリストを更新することとしても言及され得る。その後、第１のネットワークノード１１０はアクション６１４へ進んでよい。
【０１０８】
アクション６１４
このアクションでは、第１のネットワークノード１１０は、次の隣接セル関係を選択してよい。いくつかの実施形態では、これは、“ＲｌＡｄｄＡｔｔ”が次に最も大きい数である隣接セル関係、又はアクション４０２で述べたソートされた隣接セル関係のうち、前回の関係の下にある隣接セル関係であってよい。このように、第１のセル１３０の隣接セルリストからのあり得る除外について、すべての定義済み隣接セル関係がチェックされ得る。
【０１０９】
選択された隣接セル関係が不良な隣接セル関係であるかどうかを第１のネットワークノード１１０がどのように判定するかを示す例示的な実施形態について、図７に示すフロー図を参照して以下に説明する。これもまた、第１のネットワークノード１１０内の判定ユニット３０２及び／又は処理ユニット３１０により行われ得る。この方法は、下記の複数のアクションを含み得るが、これらのアクションは任意の好適な順序又は組み合わせで行われてよい。また、以下に示されるアクション又は動作は単に例示であり、よって、すべてのアクション又は動作が行われる必要はない、ということも理解されたい。
【０１１０】
アクション７０１
このアクションでは、第１のネットワークノード１１０は、第１のセル１３０内に位置するユーザ機器についての、対象セルへの“ＲｌＡｄｄＡｔｔ”の数が、第１の除外閾値を下回るかどうかをチェックしてよい。もしＹｅｓであれば、第１のネットワークノード１１０はアクション７０２へ進んでよい。もしＮｏであれば、第１のネットワークノード１１０はアクション７０３へ進んでよい。
【０１１１】
これが行われ得るのは、隣接セル関係についての“ＲｌＡｄｄＡｔｔ”の数が、第１のセル１３０についての隣接セルリスト内に当該対象セルを有することがどのくらい大切であるかを示すからである。
【０１１２】
アクション７０２
このアクションでは、当該対象セルは第１のセル１３０の隣接セルリストにとって好適ではなく及びしたがって当該リストから除外されるべきであると、すなわち図６におけるアクション６０５で、選択された隣接セル関係は不良であると、第１のネットワークノード１１０は判定してよい。代替的に、第１のセルは対象セルの隣接セルリストにとって好適ではなく及びしたがって当該リストから除外されるべきであると、すなわち図６におけるアクション６１０で、逆方向の隣接セル関係は不良であると、第１のネットワークノード１１０は判定してよい。
【０１１３】
アクション７０３
このアクションでは、第１のセル１３０内に位置するユーザ機器についての、他の複数のセルへの無線リンク追加の試行の合計数に対して相対的な、第１のセル１３０内に位置するユーザ機器についての、対象セルへの無線リンク追加の試行の数、すなわち相対的な使用量が、第２の除外閾値を超えるかどうかを、第１のネットワークノード１１０はチェックしてよい。もしＹｅｓであれば、その相対的な使用量は許容レベルを下回る。なお、ここでは、“超える（exceed）”という用語は、第１のネットワークノード１１０における閾値の構成に依存して、特定の閾値を上回って超えること、又は下回って超えること、を意味し得る。そこで、第１のネットワークノード１１０はアクション７０２へ進んでよい。
【０１１４】
もしＮｏであれば、第１のネットワークノード１１０はアクション７０４へ進んでよい。
【０１１５】
アクション７０４
このアクションでは、第１のセル１３０内に位置するユーザ機器についての、対象セルへの無線リンク追加の試行の成功数に対して相対的な、第１のセル１３０内に位置するユーザ機器についての、対象セルへの無線リンク追加の試行の数が、第３の除外閾値を超えるかどうかを、第１のネットワークノード１１０はチェックしてよい。
【０１１６】
もしＹｅｓであれば、その成功率は許容レベルを下回る。そこで、第１のネットワークノード１１０はアクション７０２へ進んでよい。
【０１１７】
もしＮｏであれば、第１のネットワークノード１１０はアクション７０４へ進んでよい。
【０１１８】
アクション７０５
このアクションでは、当該対象セルは第１のセル１３０の隣接セルリストにとって好適であり及びしたがって当該リストから除外されるべきではないと、すなわち図６におけるアクション６０５で、選択された隣接セル関係は不良ではないと、第１のネットワークノード１１０は判定してよい。代替的に、第１のセルは対象セルの隣接セルリストにとって好適であり及びしたがって当該リストから除外されるべきではないと、すなわち図６におけるアクション６１０で、逆方向の隣接セル関係は不良ではないと、第１のネットワークノード１１０は判定してよい。
【０１１９】
除外についての閾値を第１のネットワークノード１１０がどのように選択するかを示す例示的な実施形態について、図８に示すフロー図を参照して以下に説明する。これもまた、第１のネットワークノード１１０内の判定ユニット３０２及び／又は処理ユニット３１０により行われ得る。この方法は、下記の複数のアクションを含み得るが、これらのアクションは任意の好適な順序又は組み合わせで行われてよい。また、以下に示されるアクション又は動作は単に例示であり、よって、すべてのアクション又は動作が行われる必要はない、ということも理解されたい。
【０１２０】
アクション８０１
このアクションでは、第１のネットワークノード１１０は、第１のセル１３０についての隣接セルリスト上のセルの数が、第１のセル１３０についての隣接セルリストにとって好ましいセル数を上回るかどうかをチェックしてよい。もしＹｅｓであれば、第１のネットワークノード１１０はアクション８０２へ進んでよい。もしＮｏであれば、第１のネットワークノード１１０はアクション８０３へ進んでよい。
【０１２１】
これは、第１のセル１３０についての隣接セルリスト内のセルの数に応じて異なる処理を達成するために行われ得る。
【０１２２】
アクション８０２
この場合、第１のセル１３０についての隣接セルリスト内のセルの数が、好ましいセル数を下回る、すなわち数多くのセルを含むため、第１のネットワークノード１１０は、第１、第２、第３、及び第４の除外閾値について、より非制限的なパラメータ又は値の第１のセット、すなわち第１及び第２の除外閾値の第１のセット、を選択してよい。これは、第１のセル１３０についての隣接セルリスト内のセルの除外率を上げて、隣接セルリスト内のセルの数を好ましいレベルに維持しようとするために行われ得る。
【０１２３】
なお、より非制限的なパラメータ又は値は、例えばデフォルトのパラメータ又は値よりも低い限度を設定し、それにより、例えばそのデフォルトのパラメータ又は値を使用する場合に比べて、より多くの隣接セル関係が当該限度を超え及びしたがって当該隣接セルリストから除外されるようにする、パラメータ又は値である。
【０１２４】
アクション８０３
この場合、第１のセル１３０についての隣接セルリスト内のセルの数が、好ましいセル数を下回る、すなわち少数のセルしか含まないため、第１のネットワークノード１１０は、第１、第２、第３、及び第４の除外閾値について、より制限の強いパラメータ又は値のセット、すなわち第１及び第２の除外閾値の第２のセット、を選択してよい。これは、第１のセル１３０についての隣接セルリスト内のセルの除外率を下げて、隣接セルリスト内のセルの数を好ましいレベルに維持しようとするために行われ得る。
【０１２５】
なお、より制限の強いパラメータ又は値は、例えばデフォルトのパラメータ又は値よりも高い限度を設定し、それにより、例えばそのデフォルトのパラメータ又は値を使用する場合に比べて、より少数の隣接セル関係が当該限度を超え及びしたがって当該隣接セルリストから除外されないようにする、パラメータ又は値である。
【０１２６】
追加についての閾値を第１のネットワークノード１１０がどのように選択するかを示す例示的な実施形態について、図９に示すフロー図を参照して以下に説明する。これもまた、第１のネットワークノード１１０内の判定ユニット３０２及び／又は処理ユニット３１０により行われ得る。この方法は、下記の複数のアクションを含み得るが、これらのアクションは任意の好適な順序又は組み合わせで行われてよい。また、以下に示されるアクション又は動作は単に例示であり、よって、すべてのアクション又は動作が行われる必要はない、ということも理解されたい。
【０１２７】
アクション９０１
このアクションでは、第１のネットワークノード１１０は、第１のセル１３０についての隣接セルリスト上のセルの数が、第１のセル１３０についての隣接セルリストにとって好ましいセル数を上回るかどうかをチェックしてよい。もしＹｅｓであれば、第１のネットワークノード１１０はアクション８０２へ進んでよい。もしＮｏであれば、第１のネットワークノード１１０はアクション８０３へ進んでよい。
【０１２８】
これは、第１のセル１３０についての隣接セルリスト内のセルの数に応じて異なる処理を達成するために行われ得る。
【０１２９】
アクション９０２
この場合、第１のセル１３０についての隣接セルリスト内のセルの数が、好ましいセル数を下回る、すなわち数多くのセルを含むため、第１のネットワークノード１１０は、第１及び第２の追加閾値について、より制限の強いパラメータ又は値のセット、すなわち第１及び第２の追加閾値の第１のセット、を選択してよい。これは、第１のセル１３０についての隣接セルリスト内のセルの追加率を下げて、隣接セルリスト内のセルの数を好ましいレベルに維持しようとするために行われ得る。
【０１３０】
なお、より制限の強いパラメータ又は値は、例えばデフォルトのパラメータ又は値よりも高い限度を設定し、それにより、例えばそのデフォルトのパラメータ又は値を使用する場合に比べて、より少数の隣接セル関係が当該限度を超え及びしたがって当該隣接セルリストへ追加されないようにする、パラメータ又は値である。
【０１３１】
アクション９０３
この場合、第１のセル１３０についての隣接セルリスト内のセルの数が、好ましいセル数を下回る、すなわち少数のセルしか含まないため、第１のネットワークノード１１０は、第１及び第２の追加閾値について、より非制限的なパラメータのセット、すなわち第１及び第２の追加閾値の第２のセット、を選択してよい。これは、第１のセル１３０についての隣接セルリスト内のセルの追加率を上げて、隣接セルリスト内のセルの数を好ましいレベルに維持しようとするために行われ得る。
【０１３２】
なお、より非制限的なパラメータ又は値は、例えばデフォルトのパラメータ又は値よりも低い限度を設定し、それにより、そのデフォルトのパラメータ又は値を使用する場合に比べて、より多くの隣接セル関係が当該限度を超え及びしたがって当該隣接セルリストへ追加されるようにする、パラメータ又は値である。
【０１３３】
ここでの実施形態は、上述の好ましい実施形態に限定されない。様々な代替例、変形例、及び均等物が使用されてもよい。したがって、上述の実施形態は、限定と捉えられてはならない。
【０１３４】
略語
ＣＭ          Configuration  Management
ＣＳ          Configuration  Service
ＧＰＥＨ      General  Performance  Event  Handling
ＮＣＳ        Neighboring  Cell  Support
ＮＣＳ−Ｗ    Neighboring  Cell  Support  for  WCDMA
ＯＳＳ        Operations  Support  System
ＯＳＳ−ＲＣ  Operations  Support  System  for  Radio  &  Core
ＲＳＣＰ      Received  Signal  Code  Power
ＳＮＲ        Signal-to-Noise  Ratio
ＳＯＨＯ      Soft  Handover
ＷＣＤＭＡ    Wideband  Code  Division  Multiple  Access
ＷＲＡＮ      Wideband  Radio  Access  Network
【図１】
2015532064.tif 000003
【図２】
2015532064.tif 000004
【図３】
2015532064.tif 000005
【図４】
2015532064.tif 000006
【図５】
2015532064.tif 000007
【図６】
2015532064.tif 000008
【図７】
2015532064.tif 000009
【図８】
2015532064.tif 000010
【図９】
2015532064.tif 000011
【国際調査報告】
2015532064.tif 000012
2015532064.tif 000013
2015532064.tif 000014
2015532064.tif 000015